(57)【特許請求の範囲】
【請求項１】
第１筐体、
上記第１筐体と接合している第２筐体、
上記第１筐体と上記第２筐体との間を密閉する防水部材、
上記第１筐体と上記第２筐体との接合位置において、上記第１筐体と上記第２筐体とによって形成される上記防水部材を収納する収納部、および
上記収納部の内面と、上記防水部材との間に配置されているアンテナ
を備え、
上記アンテナは、上記防水部材とは別体であり、
上記第２筐体には、上記収納部の一部を構成する溝部が設けられており、
上記アンテナは、上記第１筐体における上記溝部に対向する位置に配置されていることを特徴とするアンテナ装置。
【請求項２】
第１筐体、
上記第１筐体と互いに周囲で接合している第２筐体、
上記第１筐体と上記第２筐体との間を密閉する防水部材、
上記第１筐体と上記第２筐体との接合位置において、上記第１筐体と上記第２筐体とによって形成される上記防水部材を収納する収納部、および
上記収納部の内面と、上記防水部材との間に配置されているアンテナ
を備え、
上記アンテナは、上記防水部材とは別体であり、
上記第１筐体には、上記収納部の一部を構成する平面が形成されており、
上記第２筐体には、上記収納部の一部を構成する溝部が形成されており、
上記アンテナは、上記溝部の底面に配置されていることを特徴とするアンテナ装置。
【請求項３】
上記第１筐体の内部に、上記アンテナに給電する給電部が設けられており、
上記溝部の上記給電部側の側壁に切欠部が設けられていることを特徴とする請求項２に記載のアンテナ装置。
【請求項４】
上記アンテナを複数備えていることを特徴とする請求項１から３のいずれか一項に記載のアンテナ装置。
【発明の詳細な説明】
【技術分野】
【０００１】
本発明は、アンテナ装置に関し、特に、防水部材を備えたアンテナ装置に関する。
【背景技術】
【０００２】
従来、通信機能を有する携帯端末においては、アンテナの設置に関して、様々な工夫が行われている。例えば、特許文献１には、防水機能を発揮しつつ、ループアンテナによって確定されるアンテナ面積をできるだけ広く確保し、さらに、組み立て工数の低減を図ることが可能な携帯電子機器が開示されている。特許文献１の携帯電子機器では、ループアンテナをできるかぎり機器の外側に持っていき、ループアンテナの面積を大きくする手法として、防水パッキン部にループアンテナを配置している。
【０００３】
その詳細を、図８の（ａ）を参照して説明する。図８の（ａ）は、携帯電話機１０の一部断面図である。図示のように、フロントキャビネット１１には防水パッキン収納部１１ａが形成され、リアキャビネット１２には防水パッキン収納部１２ａが形成されている。防水パッキン収納部１１ａと、防水パッキン収納部１２ａとは、向かい合わされて配置されて、両者によって形成された空間に防水パッキン１３が収納される。防水パッキン１３の内部には、アンテナ１３ａが配置されている。
【先行技術文献】
【特許文献】
【０００４】
【特許文献１】特開２０１１−１５５５２７号公報（２０１１年８月１１日公開）
【発明の概要】
【発明が解決しようとする課題】
【０００５】
しかしながら、上述のような従来技術は、防水パッキン１３にループアンテナ１３ａが内包されるが故に、以下のような問題がある。
【０００６】
まず、防水パッキン１３はループアンテナ１３ａを内包しているので、防水パッキン１３の断面幅はループアンテナ１３ａの断面幅よりも大きくなっている。防水パッキン１３は、フロントキャビネット１１およびリアキャビネット１２の接合部に配置されるので、防水パッキン１３の分だけ防水パッキン収納部１１ａおよび１２ａの幅が広くなってしまうという問題がある。
【０００７】
本発明は、上記課題に鑑みてなされたものであり、防水部材を備えたアンテナ装置において、防水部材を収納する収納部にアンテナを配置しつつ、当該収納部の幅を狭くするための技術を提供することを主たる目的とする。
【課題を解決するための手段】
【０００８】
上記課題を解決するために、本発明の一態様に係るアンテナ装置は、第１筐体、上記第１筐体と接合している第２筐体、上記第１筐体と上記第２筐体との間を密閉する防水部材、上記第１筐体と上記第２筐体との接合位置において、上記第１筐体と上記第２筐体とによって形成される上記防水部材を収納する収納部、および上記収納部の内面と、上記防水部材との間に配置されているアンテナを備えている。
【発明の効果】
【０００９】
本発明の一態様によれば、防水部材を備えたアンテナ装置において、防水部材を収納する収納部にアンテナを配置しつつ、当該収納部の幅を狭くすることができるという効果を奏する。
【図面の簡単な説明】
【００１０】
【図１】本発明の実施形態１に係る携帯端末の外観を示す正面図である。
【図２】本発明の実施形態１に係る携帯端末のＡ−Ａ断面図である。
【図３】本発明の実施形態２に係る携帯端末のＡ−Ａ断面図であり、（ａ）はフロントキャビネットと、リアキャビネットとを向かい合わせる前の状態を示し、（ｂ）は、フロントキャビネットと、リアキャビネットとを向かい合わせた後の状態を示す。
【図４】本発明の実施形態３に係る携帯端末のＡ−Ａ断面図である。
【図５】本発明の実施形態４に係るリアキャビネットの外観を示す図であり、（ａ）はリアキャビネットの正面図であり、（ｂ）はリアキャビネットの正面下部の拡大図である。
【図６】本発明の実施形態４に係るアンテナの設置状態を示す図であり、（ａ）はリアキャビネットの正面図であり、（ｂ）は切欠部のない溝部付近のＢ−Ｂ断面図であり、（ｃ）は切欠部のある溝部付近のＣ−Ｃ断面図である。
【図７】本発明の実施形態５に係るリアキャビネットの外観を示す図である。
【図８】従来技術を説明するための図であり、（ａ）は携帯電話機の一部断面図であり、（ｂ）は防水パッキンが収納される前の状態を示す断面図であり、（ｃ）および（ｄ）は、防水パッキンが収納された後の状態を示す断面図である。
【発明を実施するための形態】
【００１１】
〔実施形態１〕
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。例えば、以下では本発明に係るアンテナ装置として、携帯端末を例に挙げて説明しているが、本発明に係るアンテナ装置は、携帯型であっても、据え置き型であってもよい。
【００１２】
〈携帯端末の概要〉
図１は、本発明の実施形態に係る携帯端末１の外観を示す正面図である。携帯端末１は、ディスプレイおよび操作部が設置される筐体であるフロントキャビネット２（第１筐体）と、その反対側の筐体であるリアキャビネット３（第２筐体、図示せず）とを備える。なお、ディスプレイを上向きにして携帯端末１を水平面に置いた場合に、携帯端末１正面の長手方向に対して垂直方向の断面のうち、紙面上左側の部分を示す図を、以下、Ａ−Ａ断面図とする。
【００１３】
〈アンテナの設置〉
次に、実施形態１に係る携帯端末１のアンテナの設置について、図２を参照して説明する。図２は、本実施形態に係る携帯端末１のＡ−Ａ断面図である。図示のように、携帯端末１の筐体は、フロントキャビネット２と、リアキャビネット３とが、互いに向かい合って接合することにより一体化した筐体として構成される。フロントキャビネット２およびリアキャビネット３を形成する材料は、特に限定されないが、例えば、プラスチック（例えば、ＡＢＳ樹脂）などの誘電体を用いることができる。
【００１４】
フロントキャビネット２と、リアキャビネット３との接合位置には、フロントキャビネット２と、リアキャビネット３とによって防水部材収納部６（収納部）が形成される。防水部材収納部６は、防水部材４を収納する部分であり、フロントキャビネット２の周囲の接合面２０と、リアキャビネット３の周囲の接合面３０に凹設される溝部３１とから構成される。
【００１５】
防水部材４は、フロントキャビネット２の接合面２０と、リアキャビネット３の接合面３０との間から筐体内部に水が入らないように防止するものであり、特に限定されないが、例えば、弾性体のシリコン、ゴムなどを材料とする防水パッキンが用いられる。防水部材４の形状は、フロントキャビネット２と、リアキャビネット３との間を密閉するものであれば特に限定されないが、例えば、紐状、または環状とすることができる。
【００１６】
また、リアキャビネット３の溝部３１の底面（収納部の内面）には、アンテナ５が配置されている。アンテナ５は、携帯端末１の無線通信を実現するアンテナであり、特に限定されないが、例えば、ループアンテナ、モノポールアンテナ、ダイポールアンテナ等として構成され得る。アンテナ５は、特に限定されないが、板金によって形成してもよいし、ＬＤＳ（Laser Direct Structuring）加工により、リアキャビネット３上に直接形成してもよい。
【００１７】
〈筐体の組立手順〉
本実施形態では、例えば、以下の手順により、携帯端末１の筐体が組み立てられる。なお、この手順はあくまでも一例に過ぎない。
（１）まず、アンテナ５をリアキャビネット３の溝部３１の底面に配置する。
（２）次に、アンテナ５の上面に覆い被せるように、防水部材４を設置する。
（３）そして、フロントキャビネット２と、リアキャビネット３とを向かい合わせて接合する。これにより、防水部材４が、フロントキャビネット２の接合面２０と、リアキャビネット３の溝部３１とより挟み込まれる。
【００１８】
なお、上記実施形態において、さらに、フロントキャビネット２の接合面２０に、溝部を凹設してもよいし、接合面２０に、凸部を設けてもよい。
【００１９】
以上のように、アンテナ５を防水部材収納部６の内面である、溝部３１の底面に配置することにより、以下のような効果を得ることができる。
（１）特許文献１に記載の技術と同様に、筐体間を密閉する防水部材４を収納する防水部材収納部６に、アンテナ５を配置することができる。これにより、アンテナ５をできる限り携帯端末１（アンテナ装置）の外側に持っていくことができ、良好なアンテナ特性を得ることができる。
（２）特許文献１に記載の技術とは異なり、アンテナ５が防水部材４に内包されていないので、防水部材４の幅が広くならず、防水部材収納部６の幅を狭くすることができる。
（３）アンテナ５が、溝部３１の底面と、防水部材４との間に配置されるので、アンテナ５を安定的に固定することができる。
【００２０】
なお、変形例において、アンテナ５を、溝部３１の側面に配置してもよい。このような構成でも同等の効果を得ることができる。
【００２１】
また、図８の（ａ）に示すような特許文献１に記載の技術では、防水性能を確保するために防水パッキン１３が加圧されるので、その防水パッキン１３の内部において、ループアンテナ１３ａが断線し、または、ループアンテナ１３ａのケーブルの位置がずれる可能性がある。
【００２２】
そのアンテナの位置ずれの詳細を、図８の（ｂ）〜（ｄ）を参照して説明する。図８の（ｂ）は、防水パッキン１３が収納される前の状態を示す断面図である。図示のように、防水パッキン１３の中心位置にアンテナ１３ａが内包され、防水パッキン１３およびアンテナ１３ａともに略円形状になっている。図８の（ｃ）および（ｄ）は、防水パッキン１３が収納された後の状態を示す断面図である。図８の（ｃ）においては、防水パッキン収納部１１ａと、１２ａとの圧迫により、防水パッキン１３およびアンテナ１３ａともに楕円形状になっているが、防水パッキン１３の中心にアンテナ１３ａが位置付いている。
【００２３】
一方、図８の（ｄ）においては、防水パッキン１３の中心から、紙面上左側へずれた場所にアンテナ１３ａが位置付いている。この状態から、アンテナ１３ａが紙面上左側へさらにずれたとすると、アンテナ１３ａが防水パッキン１３の外部に露出するおそれがある。これにより、防水パッキン１３およびアンテナ１３ａを含む全体の径がさらに大きくなるので、防水パッキン収納部１１ａおよび１２ａの幅を広くする必要が生じる。
【００２４】
これに対し、本発明に係るアンテナ装置では、アンテナが防水部材に内包されていないため、以上のような問題が生じるおそれが少ない。
【００２５】
〔実施形態２〕
実施形態１では、リアキャビネット３の溝部３１の底面にアンテナ５を設置する構成を説明したが、本発明はこれに限定されるものではない。本実施形態では、フロントキャビネット２側にアンテナ５を設置する構成について、図３を参照して説明する。
【００２６】
図３は、本実施形態に係る携帯端末１ａのＡ−Ａ断面図である。図３の（ａ）は、フロントキャビネット２と、リアキャビネット３とを向かい合わせる前の状態を示す。図３の（ｂ）は、フロントキャビネット２と、リアキャビネット３とを向かい合わせた後の状態を示す。なお、実施形態１と重複する記載は割愛するので、実施形態１の説明を適宜参照のこと。
【００２７】
〈アンテナの設置〉
図３の（ｂ）に示すように、携帯端末１ａは、フロントキャビネット２と、リアキャビネット３とが向かい合わされて接合されることにより、一体化した筐体として形成される。図３の（ａ）に示すように、リアキャビネット３の接合面３０には、溝部３１が凹設される。防水部材４は、溝部３１の底面に配置される。アンテナ５は、フロントキャビネット２の接合面２０に配置される。防水部材収納部６は、溝部３１と、溝部３１に対向する接合面２０とによって構成され、アンテナ５は、防水部材収納部６の内面である接合面２０に配置される。
【００２８】
〈筐体の組立手順〉
本実施形態では、例えば、以下の手順により、携帯端末１ａの筐体が組み立てられる。なお、この手順はあくまでも一例に過ぎない。
（１）まず、アンテナ５をフロントキャビネット２の接合面２０に配置する。
（２）次に、防水部材４をリアキャビネット３の溝部３１の底面に配置する。
なお、（１）および（２）は、どちらが先でもよく、または、並行して行われてもよい。
（３）そして、フロントキャビネット２と、リアキャビネット３とを向かい合わせる。これにより、防水部材４が、フロントキャビネット２に配置されたアンテナ５と、リアキャビネット３の溝部３１とより挟み込まれる。
【００２９】
なお、上記実施形態において、さらに、フロントキャビネット２の接合面２０に溝部を凹設して、その溝部の底面にアンテナ５を配置してもよいし、または、フロントキャビネット２の接合面２０に凸部を設けて、その先にアンテナ５を配置してもよい。
【００３０】
以上のように、アンテナ５を防水部材収納部６の内面である、溝部３１に対向する接合面２０に配置することにより、以下のような効果を得ることができる。
（１）実施形態１と同様に、アンテナ５をできる限り携帯端末１（アンテナ装置）の外側に持っていくことができ、良好なアンテナ特性を得ることができる。
（２）実施形態１と同様に、防水部材収納部６の幅を狭くすることができる。
（３）アンテナ５の幅が、溝部３１の幅によって制限されないため、より自由にアンテナ５を配置することができる。アンテナを防水範囲外に配置する場合、アンテナパターンが腐食して抵抗値が上昇することによりアンテナ特性に損失が発生したり、アンテナパターンに水が付着したまま乾燥しないことによりアンテナ特性の周波数がずれるなどの問題が生じる。それに対して、図３に示すようにアンテナ５を配置することにより、防水範囲内であって、かつ、できる限り外側にアンテナ５を配置することができる。
【００３１】
〔実施形態３〕
実施形態１および２では、防水部材４として防水パッキンを用いる構成を説明したが、本発明はこれに限定されるものではない。本実施形態では、防水部材４として防水テープを用いる構成について、図４を参照して説明する。
【００３２】
図４は、本実施形態に係る携帯端末１ｂのＡ−Ａ断面図である。図示のように、携帯端末１ｂは、蓋板状の筐体であるフロントキャビネット２ａと、容器状の筐体であるリアキャビネット３ａとが向かい合わされることにより、一体化した筐体として形成される。
【００３３】
〈アンテナの設置〉
フロントキャビネット２ａと、リアキャビネット３ａとの接合位置において、フロントキャビネット２ａと、リアキャビネット３ａとによって、防水部材収納部６ａが形成される。防水部材収納部６ａは、防水部材４ａを収納する部分であり、フロントキャビネット２ａの周囲の接合面２０ａと、リアキャビネット３ａの周囲の接合面３０ａに凹設される溝部３１ａとから構成される。
【００３４】
防水部材４ａは、フロントキャビネット２ａの接合面２０ａと、リアキャビネット３ａの接合面３０ａとの間から筐体内部に水が入らないように防止するものである。本実施形態では、防水部材４ａは、弾性体のシリコン、ゴムなどを材料とする防水パッキンではなく、防水性能を持つ両面テープ（防水テープ）が用いられる。防水テープは、例えば、独立発泡材であるクッション材の両面に糊が塗布されたものであり、フロントキャビネット２ａの接合面２０ａと、リアキャビネット３ａの溝部３１ａのアンテナ５ａとを、この糊により接着するものである。なお、独立発泡材とは、材中に形成されている気泡が連続しておらず、材中に液体が浸入することがない発泡材を指す。
【００３５】
アンテナ５ａとしては、実施形態１のアンテナ５と同様のものを用いることができる。
【００３６】
〈筐体の組立手順〉
本実施形態では、例えば、以下の手順により、携帯端末１ｂの筐体が組み立てられる。なお、この手順はあくまでも一例に過ぎない。
（１）まず、アンテナ５ａをリアキャビネット３ａの溝部３１ａの底面に接着する。
（２）次に、アンテナ５ａの上面に覆い被せるように、防水部材４ａを設置する。
（３）そして、フロントキャビネット２ａと、リアキャビネット３ａとを向かい合わせる。これにより、防水部材４ａが、フロントキャビネット２ａの接合面２０ａと、リアキャビネット３ａの溝部３１ａに接着されたアンテナ５ａとに接着する。
【００３７】
以上のように、防水部材収納部６の内面と、防水テープである防水部材４との間に配置することにより、以下のような効果を得ることができる。
（１）実施形態１と同様に、アンテナ５をできる限り携帯端末１（アンテナ装置）の外側に持っていくことができ、良好なアンテナ特性を得ることができる。
（２）実施形態１と同様に、防水部材収納部６の幅を狭くすることができる。
（３）実施形態１では、防水パッキンである防水部材４に対し、フロントキャビネット２ａとリアキャビネット３ａとで挟むように圧力を加えるため、アンテナ５に対して加圧されるが、本実施形態では、防水テープである防水部材４ａは、フロントキャビネット２ａとリアキャビネット３ａとをくっつける方向に働くため、防水部材４ａに対してフロントキャビネット２ａとリアキャビネット３ａとで挟むように加える圧力を小さくすることができ、これによりアンテナ５に対する加圧を低減することができる。
【００３８】
〔実施形態４〕
本実施形態では、携帯端末１ｃにおけるアンテナ５ｃと、給電部３２ｃとの接続について、図５および６を参照して説明する。
【００３９】
図５は、本実施形態に係るリアキャビネット３ｂの外観を示す図である。図５の（ａ）は、リアキャビネット３ｂの正面図である。図５の（ｂ）は、リアキャビネット３ｂの正面下部の拡大図である。図５の（ａ）に示すように、リアキャビネット３ｂの周囲に溝部３１ｂが形成され、その溝部３１ｂの一部にアンテナ５ｃが配置される。図５の（ｂ）に示すように、アンテナ５ｃの両端部は、溝部３１ｂから離れてリアキャビネット３ｂの内部へ配されて、その内部に設けられた給電部３２ｃに接続される。
【００４０】
図６は、本実施形態に係るアンテナ５ｂ、５ｃの設置状態を示す図である。図６の（ａ）は、リアキャビネット３ｂの正面図である。図６の（ｂ）は、切欠部３４のない溝部３１ｂ付近のＢ−Ｂ断面図である。図６の（ｃ）は、切欠部３４のある溝部３１ｂ付近のＣ−Ｃ断面図である。
【００４１】
図６の（ａ）に示すように、リアキャビネット３ｂの周囲には接合面３０ｂが形成され、その接合面３０ｂには溝部３１ｂが凹設されている。そして、溝部３１ｂの給電部３２ｂ側（内部側）の側壁（溝部３１ｂに隣接する段差部）には切欠部３４が形成されていない。アンテナ５ｂは、溝部３１ｂの一部に配置され、アンテナ５ｂの給電部分は、側壁３３を越えてリアキャビネット３ｂの内部に配されて、その内部に設けられた給電部３２ｂに接続される。一方、溝部３１ｂの給電部３２ｃ側（内部側）の側壁の一部に切欠部３４が形成されている。アンテナ５ｃは、溝部３１ｂの一部に配置され、アンテナ５ｃの給電部分は、切欠部３４を通ってリアキャビネット３ｂの内部に配されて、その内部に設けられた給電部３２ｃに接続される。
【００４２】
図６の（ｂ）に示すように、給電部３２ｂの付近に切欠部３４を形成しない場合、アンテナ５ｂは、溝部３１ｂの給電部３２ｂ側の側壁３３を越えて給電部３２ｂまで配線されることが必要になる。例えば、逆Ｌ字形アンテナの場合、アンテナ先端側（開放端側）の部分が長いほど、アンテナ５ｂのアンテナ特性に対して有効である。アンテナ５ｂの全長を一定とすれば、給電部分が不必要に長くなるとアンテナ先端側（開放端側）の部分が短くなるので、アンテナ特性としては損になる。
【００４３】
図６の（ｃ）に示すように、切欠部３４を形成した場合、アンテナ５ｃを給電部３２ｃに接続したとしても、溝部３１ｂの給電部３２ｃ側の側壁３３を超えるための経路の分だけ、アンテナ５ｃの給電部分が短くなることにより、逆に図６（ａ）の楕円Ｄで囲まれたアンテナ先端側（開放端側）の部分が長くなるので、アンテナ特性を向上させることができる。
【００４４】
以上によれば、切欠部３４を形成することにより、アンテナ５ｃと、基板上の給電部３２ｃとの接続を、溝部３１ｂの給電部３２ｃ側の側壁３３を越えることなく配置できるので、アンテナ５ｃの給電部分を短くすることができる。従って、アンテナ５ｃの全長を一定とすれば、アンテナ５ｃのアンテナ先端側（開放端側）の部分を長くすることができるので、アンテナ特性を向上することができる。
【００４５】
〔実施形態５〕
実施形態１〜４では、携帯端末に１個のアンテナを配置する構成を例に説明したが、本発明はこれに限定されるものではない。本実施形態では、複数のアンテナの設置について、図７を参照して説明する。
【００４６】
図７は、本実施形態に係るリアキャビネット３ｃの外観を示す図である。図示のように、リアキャビネット３ｃの周囲に溝部３１ｃが形成され、その溝部３１ｃの複数の箇所に、互いに重ならない位置に、複数のアンテナ５ｄが配置される。溝部３１ｃに配置される各アンテナ５ｄと、その付近の給電部（図示せず）との間に切欠部（図示せず）が形成される。各アンテナ５ｃは、溝部３１ｃから切欠部（図示せず）を通って給電部（図示せず）まで配線され、その給電部に接続される。
【００４７】
以上によれば、特許文献１のループアンテナと比較すると、携帯端末１ｄに多数のアンテナ５ｄを容易に配置することができる。従って、携帯端末１ｄに複数の帯域のアンテナを搭載することができる。
【００４８】
なお、特許文献１では、防水パッキンの内部にアンテナを入れ込む構造になっているので、複数のアンテナの配置および給電部への接続を行うとすれば、防水パッキンの構造が複雑になってしまうため、その実現は困難である。
【００４９】
〔まとめ〕
本発明の態様１に係るアンテナ装置は、第１筐体、上記第１筐体と接合している第２筐体、上記第１筐体と上記第２筐体との間を密閉する防水部材、上記第１筐体と上記第２筐体との接合位置において、上記第１筐体と上記第２筐体とによって形成される上記防水部材を収納する収納部、および上記収納部の内面と、上記防水部材との間に配置されているアンテナを備えている。
【００５０】
上記の構成によれば、防水部材を収納する収納部にアンテナを配置するとき、アンテナを防水部材に内包させずに、収納部の内面と防水部材との間に配置することにより、防水部材４の幅が広くならないため、収納部の幅を狭くすることができる。これにより、防水部材を備えたアンテナ装置において、防水部材を収納する収納部にアンテナを配置しつつ、当該収納部の幅を狭くすることができる。
【００５１】
本発明の態様２に係るアンテナ装置は、上記態様１において、上記第２筐体には、上記収納部の一部を構成する溝部が形成されており、上記アンテナは、上記溝部の底面に配置されていてもよい。
【００５２】
上記の構成によれば、アンテナが、溝部の底面と、防水部材との間に配置されるので、アンテナを安定的に固定することができる。
【００５３】
本発明の態様３に係るアンテナ装置は、上記態様２において、上記第１筐体の内部に、上記アンテナに給電する給電部が設けられており、上記溝部の上記給電部側の側壁に切欠部が設けられていてもよい。
【００５４】
上記の構成によれば、溝部の給電部側の側壁の一部に切欠部を設けることにより、アンテナと、給電部との間を直線的に配線接続することができるので、アンテナの給電部分を短くすることができる。従って、アンテナの全長が一定であれば、アンテナ先端側（開放端側）の部分を長くすることができるので、アンテナ特性の向上を図ることができる。
【００５５】
本発明の態様４に係るアンテナ装置は、上記態様１において、上記第２筐体には、上記収納部の一部を構成する溝部が設けられており、上記アンテナは、上記第１筐体における上記溝部に対向する位置に配置されていてもよい。
【００５６】
上記の構成によれば、第１筐体のうち、第２筐体の溝部に対向する位置にアンテナを配置するので、アンテナを溝部に配置する場合とは異なり、アンテナの幅が溝部の幅によって制限されないため、より自由にアンテナを配置することができる。
【００５７】
本発明の態様５に係るアンテナ装置は、上記態様１〜４において、上記アンテナを複数備えていてもよい。
【００５８】
上記の構成によれば、アンテナを、収納部の内面と、防水部材との間に配置することにより、アンテナを防水部材に内包する場合とは異なり、複数のアンテナを容易に配置することができる。これにより、複数のアンテナを、防水部材を収納する収納部内に、好適に配置することができる。
【００５９】
本発明の態様６に係るアンテナ装置は、上記態様１〜５において、上記防水部材が、防水テープであってもよい。
【００６０】
上記の構成によれば、アンテナに掛かる圧力を低減させることができる。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６２】
本発明は、アンテナ装置の製造分野において利用可能である。
【符号の説明】
【００６３】
１、１ａ、１ｂ、１ｃ、１ｄ  携帯端末（アンテナ装置）
２、２ａ  フロントキャビネット（第１筐体）
３、３ａ、３ｂ、３ｃ  リアキャビネット（第２筐体）
４、４ａ  防水部材
５、５ａ、５ｂ、５ｃ  アンテナ
６、６ａ  防水部材収納部（収納部）
２０、２０ａ  接合面
３０、３０ａ、３０ｂ  接合面
３１、３１ａ、３１ｂ、３１ｃ  溝部
３２、３２ｂ、３２ｃ  給電部
３３  側壁
３４  切欠部
【図１】
0006542515.tif 000002
【図２】
0006542515.tif 000003
【図３】
0006542515.tif 000004
【図４】
0006542515.tif 000005
【図５】
0006542515.tif 000006
【図６】
0006542515.tif 000007
【図７】
0006542515.tif 000008
【図８】
0006542515.tif 000009